(57)【要約】      （修正有）【課題】引き戸の枚数分のキャッチ構造を必要とせず、部品点数を削減して低コスト化を可能にする開閉戸を提供する。【解決手段】２枚の引き戸（１４、１６）のうちの一方の引き戸１４の戸尻部Ａに設けられ、他方の引き戸１６の戸尻部Ａに係脱可能に係合し、２枚の引き戸（１４、１６）を各々閉戸位置に保持するキャッチ部材４６を有する。キャッチ部材４６は、前記引き戸１４のスライド方向に延在し、中間部をホルダ４２に揺動可能に支持され、一方の側に前記一方或いは他方の引き戸（１４、１６）の閉戸位置への移動過程における前記他方の引き戸１６の戸尻部Ａとの当接により当該キャッチ部材４６を回動させる当接部４６Ｂを含み、他方の側に前記他方の引き戸１６の戸尻部Ａに係合する係合部４６Ｃを含む。【選択図】図２
2018100486.tif 000002
【特許請求の範囲】
【請求項１】
閉戸位置において前後に重なる戸尻部を含み、各々開閉方向にスライド可能な少なくとも２枚の引き戸を有する開閉戸であって、
前記２枚の引き戸のうちの一方の引き戸の前記戸尻部に設けられ、前記他方の引き戸の戸尻部に係脱可能に係合し、前記２枚の引き戸を各々閉戸位置に保持するキャッチ部材を有する開閉戸。
【請求項２】
前記一方の引き戸の戸尻部に取り付けられたホルダを有し、
前記キャッチ部材は、中間部を前記ホルダに揺動可能に支持され、一方の側に前記一方或いは他方の引き戸の閉戸位置への移動過程における前記他方の引き戸の戸尻部との当接により当該キャッチ部材を回動させる当接部を含み、他方の側に前記他方の引き戸の戸尻部に係合する係合部を含む請求項１に記載の開閉戸。
【請求項３】
前記係合部が前記他方の引き戸の戸尻部に係合したキャッチ位置に前記キャッチ部材を保持するディテント機構を有する請求項２に記載の開閉戸。
【請求項４】
前記ディテント機構は、前記ホルダに突出形成された山形状のディテント作用部及び前記キャッチ部材に形成された突部を含み、前記キャッチ部材が前記キャッチ位置へ移動する過程で前記突部が前記ディテント作用部の頂部を乗り越えることにより、前記キャッチ部材を前記キャッチ位置に保持する請求項３に記載の開閉戸。
【請求項５】
前記一方の引き戸の戸尻部に取り付けられたホルダと、
前記ホルダに前記引き戸のスライド方向と同方向に移動可能に設けられたスライダとを有し、
前記キャッチ部材は、中間部を前記スライダに揺動可能に支持され、一方の側に前記一方或いは他方の引き戸の閉戸位置への移動過程における前記他方の引き戸の戸尻部との当接により当該キャッチ部材を回動させる当接部を含み、他方の側に前記他方の引き戸の戸尻部に係合する係合部を含む、
更に、前記ホルダと前記スライダとの間に設けられて前記ホルダを前記スライダに対して前記一方の引き戸の閉戸方向に付勢するばねと、
前記キャッチ部材の前記係合部が前記戸尻部に係合したキャッチ位置以外の位置にある時には前記ホルダと前記スライダとのスライド方向の相対的な移動を禁止して前記ホルダを前記スライダに対して前記ばねのばね力に抗した位置に係止し、前記キャッチ部材が前記キャッチ位置にある時には前記ホルダの前記係止を解除するラッチ構造とを有する請求項１に記載の開閉戸。
【請求項６】
前記ホルダと前記スライダとの間に設けられ、前記ばねのばね力による前記スライダに対する前記ホルダの前記一方の引き戸の閉戸方向の移動に抵抗を与えるダンパを更に有する請求項５に記載の開閉戸。
【請求項７】
前記キャッチ部材は片持ちアームであり、前記一方或いは他方の引き戸の閉戸位置への移動において遊端が前記他方の引き戸の戸尻部に係合する請求項１に記載の開閉戸。
【請求項８】
前記片持ちアームは、樹脂成形品であり、前記遊端が前記他方の引き戸の戸尻部に係合する方向に当該片持ちアームを付勢する弾性片を一体に有する請求項７に記載の開閉戸。
【請求項９】
前記他方の引き戸の戸尻部の角部或いは当該角部に設けられた被係合部材を有し、
前記キャッチ部材は前記被係合部材に係脱可能に係合する爪形状部を含む請求項１から８の何れか一項に記載の開閉戸。
【請求項１０】
前記他方の引き戸は戸尻部或いは当該戸尻部に端壁を有し、
前記キャッチ部材は前記端壁に係脱可能に係合する爪形状部を含む請求項１から８の何れか一項に記載の開閉戸。
【発明の詳細な説明】
【技術分野】
【０００１】
本発明は、開閉戸に関し、更に詳細には、スライド可能な少なくとも２枚の引き戸を有する開閉戸に関する。
【背景技術】
【０００２】
収納庫や建物等の開口の開閉に用いられる開閉戸は、各々開閉方向にスライド可能な左右２枚の引き戸を有し、各引き戸の左右一方の側の端部、つまり戸先が開口の左右を画定する縦枠に当接することにより、開口を閉じる閉戸状態になる。このような開閉戸では、閉戸動作時に引き戸が縦枠に勢いよく衝突すると、引き戸の跳ね返りが生じ、引き戸が閉戸位置に位置せず、開口を少し開いた状態になる問題がある。
【０００３】
引き戸の跳ね返りを防止するために、引き戸の戸先と縦枠との間に、引き戸を閉戸位置に保持するキャッチ構造が設けられた開閉戸が知られている（例えば、特許文献１〜３）
【先行技術文献】
【特許文献】
【０００４】
【特許文献１】特開２００２−１７４０７０号公報
【特許文献２】特開２００６−２８８９０号公報
【特許文献３】特開２０１２−９７４０５号公報
【発明の概要】
【発明が解決しようとする課題】
【０００５】
従来のキャッチ構造付きの開閉戸は、引き戸の枚数分のキャッチ構造が必要であるため、キャッチ構造の設置箇所が多く、部品点数が増え、コスト高になる。
【０００６】
本発明が解決しようとする課題は、開閉戸において、引き戸の枚数分のキャッチ構造を必要とせず、部品点数を削減して低コスト化を可能にすることである。
【課題を解決するための手段】
【０００７】
本発明による開閉戸は、閉戸位置において前後に重なる戸尻部（Ａ）を含み、各々開閉方向にスライド可能な少なくとも２枚の引き戸（１４、１６）を有する開閉戸であって、前記２枚の引き戸（１４、１６）のうちの一方の引き戸（１４）の前記戸尻部（Ａ）に設けられ、他方の引き戸（１６）の戸尻部（Ａ）に係脱可能に係合し、前記２枚の引き戸（１４、１６）を各々閉戸位置に保持するキャッチ部材（４６、５６、７４、８４）を有する。
【０００８】
この構成によれば、一つのキャッチ部材（４６、５６、７４、８４）によって２枚の引き戸（１４、１６）が閉戸位置に保持され、部品点数の削減と共に低コスト化が図られる。
【０００９】
本発明による開閉戸は、好ましくは、前記一方の引き戸（１４）の戸尻部（Ａ）に取り付けられたホルダ（４２）を有し、前記キャッチ部材（４６）は、前記引き戸（１４）のスライド方向に延在し、中間部を前記ホルダ（４２）に揺動可能に支持され、一方の側に前記一方或いは他方の引き戸（１４、１６）の閉戸位置への移動過程における前記他方の引き戸（１６）の戸尻部（Ａ）との当接により当該キャッチ部材（４６）を回動させる当接部（４６Ｂ）を含み、他方の側に前記他方の引き戸（１６）の戸尻部（Ａ）に係合する係合部（４６Ｃ）を含む。
【００１０】
この構成によれば、キャッチ部材（４６）を揺動方向に付勢するばね等を必要とすることがなく、一つのキャッチ部材（４６）によって２枚の引き戸（１４、１６）を閉戸位置に保持することができる。
【００１１】
本発明による開閉戸は、好ましくは、前記他端（４６Ｃ）が前記他方の引き戸（１６）の戸尻部（Ａ）に係合したキャッチ位置に前記キャッチ部材（４６）を保持するディテント機構（４２Ｅ、４６Ｄ）を有する。
【００１２】
この構成によれば、キャッチ部材（４６）がキャッチ位置に安定して保持される。
【００１３】
本発明による開閉戸は、好ましくは、前記ディテント機構は、前記ホルダ（４２）に突出形成された山形状のディテント作用部（４２Ｅ）及び前記キャッチ部材（４６）に形成された突部（４６Ｄ）を含み、前記キャッチ部材（４６）が前記キャッチ位置へ移動する過程で前記突部（４６Ｄ）がディテント作用部（４２Ｅ）の頂部（４２Ｄ）を乗り越えることにより、前記キャッチ部材（４６）を前記キャッチ位置に保持する。
【００１４】
この構成によれば、簡単な構造でディテント機構が構成される。
【００１５】
本発明による開閉戸は、好ましくは、前記一方の引き戸（１４）の戸尻部（Ａ）に取り付けられたホルダ（５２）と、前記ホルダ（５２）に前記引き戸（１４）のスライド方向と同方向に移動可能に設けられたスライダ（５４）とを有し、前記キャッチ部材（５６）は、中間部を前記スライダ（５４）に揺動可能に支持され、一方の側に前記一方或いは他方の引き戸（１４、１６）の閉戸位置への移動過程における前記他方の引き戸（１６）の戸尻部（Ａ）との当接により当該キャッチ部材（５６）を回動させる当接部（５６Ｂ）を含み、他方の側に前記他方の引き戸（１６）の戸尻部（Ａ）に係合する係合部（５６Ｃ）を含む、更に、前記ホルダ（５２）と前記スライダ（５４）との間に設けられて前記ホルダ（５２）を前記スライダ（５４）に対して前記一方の引き戸（１４）の閉戸方向に付勢するばね（５８）と、前記キャッチ部材（５６）の前記係合部（５６Ｃ）が前記戸尻部（Ａ）に係合したキャッチ位置以外の位置にある時には前記ホルダ（５２）と前記スライダ（５４）とのスライド方向の相対的な移動を禁止して前記ホルダ（５２）を前記スライダ（５４）に対して前記ばね（５８）のばね力に抗した位置に係止し、前記キャッチ部材（５６）が前記キャッチ位置にある時には前記ホルダ（５２）の前記係止を解除するラッチ構造（５２Ｄ、５６Ｅ）とを有する。
【００１６】
この構成によれば、引き戸（１４、１６）が閉戸位置近くに位置すると、外部からの操作力に依らずとも、ばね（５８）のばね力によって引き戸（１４、１６）が閉戸方向に移動するから、確実な閉戸状態が得やすくなる。
【００１７】
本発明による開閉戸は、好ましくは、前記ホルダ（５２）と前記スライダ（５４）との間に設けられ、前記ばね（５８）のばね力による前記スライダ（５４）に対する前記ホルダ（５２）の前記一方の引き戸（１４）の閉戸方向の移動に抵抗を与えるダンパ（６２）を更に有する。
【００１８】
この構成によれば、ばね力による引き戸（１４）の閉戸が急激に行われることがなく、引き戸（１４）の閉まり際の移動が低速度で感じよく行われる。
【００１９】
本発明による開閉戸は、好ましくは、前記キャッチ部材（７４、８４）は前記一方の引き戸（１４）に取り付けられた片持ちアーム（７４、８４）であり、前記一方或いは他方の引き戸（１４、１６）の閉戸位置への移動において遊端（７４Ｂ、８４Ｂ）が前記他方の引き戸（１６）の戸尻部（Ａ）に係合する。
【００２０】
この構成によれば、簡単な構成で、２枚の引き戸（１４、１６）を閉戸位置に保持することができる。
【００２１】
本発明による開閉戸は、好ましくは、前記片持ちアーム（７４）は、樹脂成形品であり、前記遊端（７４Ｂ）が前記他方の引き戸（１６）の戸尻部（Ａ）に係合する方向に当該片持ちアーム（７４）を付勢する弾性片（７６）を一体に有する。
【００２２】
この構成によれば、片持ちアーム（７４）の回動方向の付勢に別部品を必要とすることがない。
【００２３】
本発明による開閉戸は、好ましくは、前記他方の引き戸（１６）の戸尻部（Ａ）の角部或いは当該角部に設けられた被係合部材（３４、７８）を有し、前記キャッチ部材（４６、５６、７４、８４）は前記被係合部材（３４、７８）に係脱可能に係合する爪形状部（４６Ｃ、５６Ｃ、７４Ｂ、８４Ｂ）を含む。
【００２４】
この構成によれば、キャッチ部材（４６、５６、７４、８４）によって引き戸（１４、１６）を閉戸位置に保持することが確実に行われる。
【００２５】
本発明による開閉戸は、好ましくは、前記他方の引き戸（１６）は戸尻部（Ａ）に端壁（９２）を有し、前記キャッチ部材（８４）は前記端壁（９２）に係脱可能に係合する爪形状部（８４Ｂ）を含む。
【００２６】
この構成によれば、キャッチ部材（８４）によって引き戸（１４、１６）を閉戸位置に保持することが確実に行われる。
【発明の効果】
【００２７】
本発明による開閉戸によれば、引き戸の枚数分のキャッチ構造を必要とせず、部品点数を削減して低コスト化を図ることができる。
【図面の簡単な説明】
【００２８】
【図１】本発明による開閉戸が用いられる収納庫を示す斜視図
【図２】本発明による開閉戸の実施形態１の要部の部分断面平面図
【図３】実施形態１のキャッチ装置の斜視図
【図４】実施形態１のキャッチ装置の分解斜視図
【図５】実施形態１の閉戸動作の各状態を示す部分断面平面図
【図６】実施形態１の開戸動作の各状態を示す部分断面平面図
【図７】本発明による開閉戸の実施形態２の要部の部分断面平面図
【図８】実施形態２のキャッチ装置の斜視図
【図９】実施形態２のキャッチ装置の分解斜視図
【図１０】実施形態２の閉戸動作の各状態を示す平面図
【図１１】実施形態２の開戸動作の各状態を示す平面図
【図１２】本発明による開閉戸の実施形態３の要部の部分断面平面図
【図１３】実施形態３のキャッチ装置の斜視図
【図１４】実施形態３のキャッチ装置の分解斜視図
【図１５】実施形態３の閉戸動作の各状態を示す平面図
【図１６】実施形態３の開戸動作の各状態を示す平面図
【図１７】本発明による開閉戸の実施形態４の部分断面平面図
【図１８】本発明による開閉戸の実施形態５の部分断面平面図
【発明を実施するための形態】
【００２９】
開閉戸が用いられた収納庫の一例を、図１を参照して説明する。
【００３０】
収納庫は、矩形の前面開口１０を有する箱状の本体１２と、前後２枚の引違いの引き戸１４、１６を含み、前面開口１０を開閉する開閉戸１８とを有する。
【００３１】
引き戸１４、１６は、各々、矩形の戸板によるものであり、前面開口１０の下部及び上部を互いに平行に左右方向に延在する下部レール２０、２２及び上部レール（不図示）に案内されて左右方向（開閉方向）に個別にスライド可能である。この明細書では、閉戸位置（全閉位置）において前後に互いに重なる召合わせ部を引き戸１４及び１６の戸尻部Ａと云い、戸尻部Ａとは反対側で、閉戸位置において本体１２の左右の縦枠２４に当接する側を引き戸１４及び１６の戸先部Ｂと云う。閉戸位置は、引き戸１４の戸先部Ｂが右側の縦枠２４に当接し、引き戸１６の戸先部Ｂが左側の縦枠２４に当接する位置である。
【００３２】
なお、小さい操作力によって、低抵抗で、引き戸１４、１６の開閉が行われ得るように、引き戸１４、１６の下部には、下部レール２０、２２に係合して転動する走行輪２６（図２参照）が取り付けられている。
【００３３】
引き戸１４及び１６は、各戸尻部Ａに、図２に示されているように、互いに近付く方向に突出した矩形横断面の突出部３０、３２を有する。引き戸１６の突出部３２は、右側の縦枠２４と対向する端面部３２Ａ及び端面部３２Ａより戸先部Ｂの側に偏倚した位置にあって端面部３２Ａとは反対向きの肩面部３２Ｂを有する。
【００３４】
突出部３２には軟質合成樹脂製のシール部材３４が取り付けられている。シール部材３４は、引き戸１４との対向側にあって、引き戸１４側の角部近傍の端面部３２Ａに位置する中空のＤ形横断面のシール作用部３４Ａと、閉戸位置において引き戸１４の突出部３０に当接して引き戸１４と１６との召合わせ部のシールを行う中空のＤ形横断面のシール作用部３４Ｂ（図５（Ｄ）参照）とを有する。シール作用部３４Ａは引き戸１６と右側の縦枠２４との間のシールを行うと共に引き戸１６の全開時に戸尻部Ａが右側の縦枠２４に衝突した際の緩衝を行う。
【００３５】
前側の引き戸１４の戸尻部Ａにはキャッチ装置４０が設けられている。以下に、キャッチ装置４０の実施形態１を、図２〜図４を参照して説明する。
【００３６】
キャッチ装置４０は引き戸１４の戸尻部Ａに取り付けられたホルダ４２と、ホルダ４２に揺動可能に取り付けられた揺動アーム（キャッチ部材）４６とを含む。
【００３７】
ホルダ４２は、樹脂成形品であり、引き戸１４の戸尻部Ａの内側面に両面粘着テープ等によって貼着される取付面部４２Ａと、取付面部４２Ａの下縁から後方（引き戸１６の側）に延出した主面部４２Ｂと、主面部４２Ｂから上方に向けて突出した軸部４２Ｃと、取付面部４２Ａから後方に延出し、軸部４２Ｃと同じ左右方向の位置に稜線部（頂部）４２Ｄを有する山形状のディテント作用部４２Ｅと、揺動アーム４６の揺動を規制する左右のストッパ部４２Ｆを一体に有する。
【００３８】
揺動アーム４６は、樹脂成形品であり、引き戸１４のスライド方向と略同方向（以下、左右方向と云うことがある）に延在して中間部に形成された丸孔４６Ｅと軸部４２Ｃとの嵌合によってホルダ４２に枢支された主部４６Ａと、主部４６Ａの左右の端部から各々引き戸１６の側に突出した爪形状部４６Ｂ及び４６Ｃと、主部４６Ａの前記中間部からディテント作用部４２Ｅの側に突出した突部４６Ｄとを一体に有する。
【００３９】
揺動アーム４６は、突部４６Ｄが稜線部４２Ｄより右側に位置していて爪形状部４６Ｃが引き戸１６のシール部材３４のシール作用部３４Ａに係合するキャッチ位置（図５（Ｄ）参照）と、突部４６Ｄが稜線部４２Ｄより左側に位置していて爪形状部４６Ｃがシール作用部３４Ａとの係合から離脱した解放位置（図６（Ｄ）参照）との間で揺動可能である。
【００４０】
揺動アーム４６はキャッチ位置から解放位置への回動及び解放位置からキャッチ位置への回動の何れにおいても突部４６Ｄが稜線部４２Ｄを乗り越えることにより、キャッチ位置及び解放位置の何れにおいてもディテント作用が得られる。これにより、揺動アーム４６はキャッチ位置或いは解放位置の何れにも選択的に安定して位置する。
【００４１】
爪形状部４６Ｂ（当接部）は、揺動アーム４６の枢支部の一方の側（左側）にあって、閉戸過程（引き戸１４の右側への移動或いは引き戸１６の左側への移動或いはその両方）において、引き戸１６の肩面部３２Ｂにシール部材３４を介して当接することにより、揺動アーム４６を解放位置からキャッチ位置へ向けて揺動させる（図５（Ｂ）〜（Ｃ）参照）。もう一つの爪形状部（係合部）４６Ｃは、揺動アーム４６の枢支部の他方の側（右側）にあって、引き戸１４と１６とが閉戸位置にある状態においてキャッチ位置に位置することにより、引き戸１６のシール部材３４のシール作用部３４Ａに係合し、引き戸１４が左側へ移動（開戸移動）すること及び引き戸１６が右側へ移動すること（開戸移動）を阻止する（図５（Ｄ）参照）。これにより、引き戸１４及び１６の双方が閉戸位置に保持される。このようにして、シール部材３４は爪形状部４６Ｃが係合する被係合部材を兼ねている。
【００４２】
つぎに、閉戸時のキャッチ装置４０の動作を、図５（Ａ）〜（Ｄ）を参照して説明する。ここでは、引き戸１６が閉戸位置にあって引き戸１４を右側へ移動させる場合について説明する。
【００４３】
引き戸１４が閉戸位置に位置する手前では、揺動アーム４６は、図５（Ａ）に示されているように、解放位置に位置している。この状態から引き戸１４が開戸方向の操作力によって右側へ移動すると、図５（Ｂ）に示されているように、爪形状部４６Ｂがシール部材３４を介して引き戸１６の肩面部３２Ｂに当接する。これより更に、引き戸１４が右側へ移動すると、図５（Ｃ）に示されているように、爪形状部４６Ｂがシール部材３４を介して引き戸１６の肩面部３２Ｂに引っ掛かった状態で、揺動アーム４６が反時計廻り方向に揺動し、突部４６Ｄがディテント作用部４２Ｅの稜線部４２Ｄを乗り越えようとする。引き戸１４が閉戸位置に位置すると、図５（Ｄ）に示されているように、突部４６Ｄがディテント作用部４２Ｅの稜線部４２Ｄを乗り越え、揺動アーム４６がキャッチ位置に位置する。
【００４４】
これにより、爪形状部４６Ｃが引き戸１６のシール部材３４のシール作用部３４Ａに係合し、引き戸１４が左側へ移動すること及び引き戸１６が右側へ移動することが阻止され、引き戸１４及び１６の双方が閉戸位置に保持される。この保持により、引き戸１４及び１６の戸先部Ｂが縦枠２４に衝突しても、これら引き戸１４及び１６が開戸側に移動する跳ね返りが生じることがない。この状態の引き戸１４及び１６は、突部４６Ｄがディテント作用部４２Ｅの稜線部４２Ｄを乗り越えたことによるディテント作用のもとに、跳ね返りによる開戸方向の力よりも大きい所定値以上の開戸方向の操作力が作用しない限り閉戸位置に安定して保持される。
【００４５】
このように、引き戸１４、１６の枚数分のキャッチ構造を必要とすることなく、一つのキャッチ装置４０によって、引き戸１４及び１６の双方が閉戸位置に保持され、引き戸１４及び１６の双方の跳ね返りが防止される。これにより、部品点数の削減と共に低コスト化が図られる。
【００４６】
また、この構成によれば、揺動アーム４６をキャッチ位置或いは解放位置に位置させるために、揺動アーム４６を揺動方向に付勢するばね等を必要とすることがなく、このことによっても部品点数の削減が図られる。揺動アーム４６をキャッチ位置或いは解放位置に保持するディテント機構も、ホルダ４２に一体形成されたディテント作用部４２Ｅ及び揺動アーム４６に一体形成された突部４６Ｄだけで、簡単な構造で、ばね等を含む別部品を必要とすることなく構成される。
【００４７】
つぎに、開戸時のキャッチ装置４０の動作を、図６（Ａ）〜（Ｄ）を参照して説明する。ここでは、引き戸１６が閉戸位置にあって引き戸１４を左側へ移動させる場合について説明する。
【００４８】
引き戸１４及び１６が閉戸位置に位置している時には、揺動アーム４６は、図６（Ａ）に示されているように、キャッチ位置に位置し、爪形状部４６Ｃが引き戸１６のシール部材３４のシール作用部３４Ａに係合している。この状態から引き戸１４が所定値以上の開戸方向の操作力によって左側へ移動すると、図６（Ｂ）、（Ｃ）に示されているように、爪形状部４６Ｃが引き戸１６のシール部材３４のシール作用部３４Ａに引っ掛かった状態で、揺動アーム４６が時計廻り方向に揺動し、突部４６Ｄがディテント作用部４２Ｅの稜線部４２Ｄを乗り越えようとする。これにより更に、引き戸１４が左側へ移動すると、図６（Ｄ）に示されているように、突部４６Ｄがディテント作用部４２Ｅの稜線部４２Ｄを乗り越え、揺動アーム４６が解放位置に位置する。
【００４９】
これにより、爪形状部４６Ｃが引き戸１６のシール部材３４のシール作用部３４Ａとの係合から離脱し、キャッチ装置４０によるキャッチ動作が解除され、引き戸１４及び１６の開戸が自由に行われ得るようになる。揺動アーム４６は、解放位置に位置している時には、突部４６Ｄがディテント作用部４２Ｅの稜線部４２Ｄを逆方向に乗り越えたことによるディテント作用によって解放位置に保持されるから、引き戸１４の開閉移動による振動によって揺れ動くことがない。
【００５０】
つぎに、キャッチ装置５０の実施形態２を、図７〜図９を参照して説明する。なお、図７〜図９において、図２〜図４に対応する部分は、図２〜図４に付した符号と同一の符号を付けて、その説明を省略する。
【００５１】
キャッチ装置５０は、引き戸１４の戸尻部Ａに取り付けられたホルダ５２と、ホルダ５２に引き戸１４のスライド方向と同方向（左右方向）に移動可能に設けられたスライダ５４と、スライダ５４に揺動可能に取り付けられた揺動アーム（キャッチ部材）５６と、ホルダ５２とスライダ５４との間に設けられた圧縮コイルばね５８とを含む。
【００５２】
ホルダ５２は、樹脂成形品であり、左右方向に長い後方開口の長方体形状の箱状をなしており、引き戸１４の戸尻部Ａの内側面に両面粘着テープ等によって貼着される取付面部５２Ａと、取付面部５２Ａの上下の縁部に各々沿って設けられた上下の側壁５２Ｂと、取付面部５２Ａの左右方向の中間部から後方に延出したばね受け片部５２Ｅとを一体に有する。各側壁５２Ｂには引き戸１４のスライド方向に長い長孔による軸受孔５２Ｃ及びラッチ用開口５２Ｄが形成されている。ラッチ用開口５２Ｄは、前後延在部５３Ａ及び前後延在部５３Ａの後端に連続する左右延在部５３Ｂによって鉤形をなしている。
【００５３】
スライダ５４は、樹脂成形品であり、基部５４Ａから引き戸１４のスライド方向に延在する上下一対の脚状片部５４Ｂと、基部５４Ａから前方に延出したばね受け片部５４Ｃを一体に有する。各脚状片部５４Ｂの遊端近傍には後方開口のＵ形の軸受開口５４Ｄが形成されている。
【００５４】
揺動アーム５６は、樹脂成形品であり、引き戸１４の略スライド方向に延在する主部５６Ａと、主部５６Ａの左右の端部から各々引き戸１６の側に突出した爪形状部５６Ｂ及び５６Ｃと、主部５６Ａの左右方向の中間部の上下両面から各々上下方向に突出した軸部５６Ｄと、主部５６Ａの端部において上下方向に突出したラッチピン部５６Ｅとを一体に有する。ラッチピン部５６Ｅはラッチ用開口５２Ｄに移動可能に係合している。
【００５５】
揺動アーム５６は、軸部５６Ｄが軸受孔５２Ｃ及び軸受開口５４Ｄに係合することにより、スライダ５４に対して軸部５６Ｄを中心として揺動可能に枢支されていると共にホルダ５２に対して左右方向に変位可能になっている。
【００５６】
揺動アーム５６は、爪形状部（係合部）５６Ｃが引き戸１６のシール部材３４のシール作用部３４Ａに係合するキャッチ位置（図１０（Ｄ）及び（Ｅ）参照）と爪形状部５６Ｃがシール作用部３４Ａとの係合から離脱した解放位置（図１１（Ｄ）及び（Ｅ）参照）との間で揺動可能である。
【００５７】
圧縮コイルばね５８は、ばね受け片部５２Ｅと５４Ｃとの間に取り付けられ、ホルダ５２をスライダ５４に対して引き戸１４の閉戸方向（右方向）に付勢している。
【００５８】
揺動アーム５６が解放位置にある時には、ラッチピン部５６Ｅが前後延在部５３Ａに係合することにより、ホルダ５２とスライダ５４との相対的な左右方向の移動を禁止してホルダ５２がスライダ５４に対して圧縮コイルばね５８のばね力に抗した左側位置に係止される。揺動アーム５６がキャッチ位置にある時には、ラッチピン部５６Ｅが左右延在部５３Ｂに係合することにより、スライダ５４に対するホルダ５２の係止が解除され、ホルダ５２とスライダ５４との相対的な左右方向の移動が許容される。
【００５９】
つまり、ラッチ用開口５２Ｄ及びラッチピン部５６Ｅによるラッチ機構は、揺動アーム５６が解放位置にある時にはホルダ５２をスライダ５４に対して圧縮コイルばね５８のばね力に抗した位置に係止し（図７参照）、揺動アーム５６がキャッチ位置にある時には、ホルダ５２の係止を解除してホルダ５２とスライダ５４との相対的な左右方向の移動を許容する（図１０（Ｄ）及び（Ｅ）参照）。
【００６０】
つぎに、閉戸時のキャッチ装置５０の動作を、図１０（Ａ）〜（Ｅ）を参照して説明する。ここでも、引き戸１６が閉戸位置にあって引き戸１４を右側へ移動させる場合について説明する。
【００６１】
引き戸１４が閉戸位置に位置する手前では、揺動アーム５６は、図１０（Ａ）に示されているように、解放位置に位置している。この時には、ラッチピン部５６Ｅは前後延在部５３Ａに位置し、ホルダ５２とスライダ５４との相対的な左右方向の移動が禁止されてホルダ５２がスライダ５４に対して圧縮コイルばね５８のばね力に抗した左側位置に係止されている。
【００６２】
この状態から引き戸１４が開戸方向の操作力によって右側へ移動すると、図１０（Ｂ）に示されているように、爪形状部（当接部）５６Ｂがシール部材３４を介して引き戸１６の肩面部３２Ｂに当接する。これより更に、引き戸１４が右側へ移動すると、図１０（Ｃ）に示されているように、爪形状部５６Ｂがシール部材３４を介して引き戸１６の肩面部３２Ｂに引っ掛かった状態で、揺動アーム５６が反時計廻り方向に揺動する。
【００６３】
これより更に引き戸１４が右側へ移動すると、図１０（Ｄ）に示されているように、揺動アーム５６の反時計廻り方向に揺動によって爪形状部５６Ｃが引き戸１６のシール部材３４のシール作用部３４Ａに係合する。このようにして揺動アーム５６がキャッチ位置に位置する。この時には、ラッチピン部５６Ｅは前後延在部５３Ａから左右延在部５３Ｂに移動することにより、スライダ５４に対するホルダ５２の係止が解除され、ホルダ５２が、圧縮コイルばね５８のばね力によってスライダ５４に対して右方向、つまり閉戸方向に、ラッチピン部５６Ｅが左右延在部５３Ｂの左端壁に当接するまで移動する。これによりホルダ５２と一体の引き戸１４が、外部から操作力が与えられなくても圧縮コイルばね５８のばね力によって閉戸方向に移動する。
【００６４】
そして、揺動アーム５６がキャッチ位置に位置したことにより、引き戸１４が左側へ移動すること及び引き戸１６が右側へ移動することが阻止され、引き戸１４及び１６の双方が閉戸位置に保持される。この保持により、引き戸１４及び１６の戸先部Ｂが縦枠２４に衝突しても、これら引き戸１４及び１６が開戸側に移動する跳ね返りが生じることがない。
【００６５】
このように、引き戸１４、１６の枚数分のキャッチ構造を必要とすることなく、一つのキャッチ装置５０によって、引き戸１４及び１６の双方が閉戸位置に保持され、引き戸１４及び１６の双方の跳ね返りが防止される。これにより、部品点数の削減と共に低コスト化が図られる。
【００６６】
また、引き戸１４、１６は、全閉位置近くまで移動すれば、外部からの操作力に依らずとも、圧縮コイルばね５８のばね力によって自ずと全閉位置まで移動するから、確実な閉戸状態が得やすくなる。
【００６７】
つぎに、開戸時のキャッチ装置５０の動作を、図１１（Ａ）〜（Ｅ）を参照して説明する。ここでも、引き戸１６が閉戸位置にあって引き戸１４を左側へ移動させる場合について説明する。
【００６８】
引き戸１４及び１６が閉戸位置に位置している時には、揺動アーム５６は、図１１（Ａ）に示されているように、キャッチ位置に位置し、爪形状部５６Ｃが引き戸１６のシール部材３４のシール作用部３４Ａに係合している。この時には、ラッチピン部５６Ｅは左右延在部５３Ｂに位置し、ホルダ５２とスライダ５４とが左右方向に相対的に移動可能になっている。
【００６９】
この状態から引き戸１４が開戸方向の操作力によって左側へ移動すると、図１１（Ｂ）に示されているように、爪形状部５６Ｃが引き戸１６のシール部材３４のシール作用部３４Ａに引っ掛かった状態で、引き戸１６と共にホルダ５２がスライダ５４に対して左側に移動する。これにより圧縮コイルばね５８がホルダ５２とスライダ５４との間で圧縮される。
【００７０】
これより更に引き戸１４が左側へ移動すると、図１１（Ｃ）に示されているように、爪形状部５６Ｃが引き戸１６のシール部材３４のシール作用部３４Ａに引っ掛かった状態で、揺動アーム５６が時計廻り方向に揺動する。これに伴い、ラッチピン部５６Ｅが左右延在部５３Ｂから前後延在部５３Ａに移動することにより、ホルダ５２とスライダ５４との相対的な左右方向の移動が禁止されてホルダ５２がスライダ５４に対して圧縮コイルばね５８のばね力に抗した左側位置に係止される。
【００７１】
これより更に引き戸１４が左側へ移動すると、図１１（Ｄ）及び（Ｅ）に示されているように、揺動アーム５６が時計廻り方向に揺動し、爪形状部５６Ｃが引き戸１６のシール部材３４のシール作用部３４Ａとの係合から離脱し、揺動アーム５６が解放位置に位置する。
【００７２】
これにより、キャッチ装置５０によるキャッチ動作が解除され、引き戸１４及び１６の開戸が自由に行われ得るようになる。
【００７３】
つぎに、キャッチ装置６０の実施形態３を、図１２〜図１４を参照して説明する。なお、図１２〜図１４において、図７〜図９に対応する部分は、図７〜図９に付した符号と同一の符号を付けて、その説明を省略する。
【００７４】
実施形態３では、ホルダ５２とスライダ５４との間にダンパ６２が設けられている。ダンパ６２は、空気圧式等によるもので、圧縮コイルばね５８のばね力によるスライダ５４に対するホルダ５２の引き戸１４の閉戸方向の移動に圧縮によって抵抗を与え、高速移動を抑制する。これにより、圧縮コイルばね５８のばね力によるスライダ５４に対するホルダ５２の引き戸１４の閉戸方向の移動が急激に行われることがなく、引き戸１４の閉まり際の移動が低速度で感じよく行われる。
【００７５】
なお、ダンパ６２は、圧縮時のみダンパ作用を行い、伸長時にはダンパ作用を行わない一方向ダンパであってよい。
【００７６】
つぎに、閉戸時のキャッチ装置６０の動作を、図１５（Ａ）〜（Ｄ）を参照して説明する。ここでも、引き戸１６が閉戸位置にあって引き戸１４を右側へ移動させる場合について説明する。なお、図１５において、図１０に対応する部分は、図１０に付した符号と同一の符号を付けて、その説明を省略する。
【００７７】
図１５（Ｃ）及び（Ｄ）に示されているように、圧縮コイルばね５８のばね力によるスライダ５４に対するホルダ５２の引き戸１４の閉戸方向の移動時に、ダンパ６２が圧縮され、この時のスライダ５４に対するホルダ５２の引き戸１４の閉戸方向の移動が低速度で緩慢に行われる。これにより、閉戸動作が感じのよいものになる。
【００７８】
つぎに、開戸時のキャッチ装置６０の動作を、図１６（Ａ）〜（Ｄ）を参照して説明する。ここでも、引き戸１６が閉戸位置にあって引き戸１４を左側へ移動させる場合について説明する。なお、図１６において、図１１に対応する部分は、図１０に付した符号と同一の符号を付けて、その説明を省略する。
【００７９】
図１６（Ａ）及び（Ｂ）に示されているように、スライダ５４に対するホルダ５２の引き戸１４の開戸方向の移動時に、圧縮コイルばね５８が圧縮される共に、ダンパ６２が伸長してもとの状態に戻る。
【００８０】
つぎに、キャッチ装置７０の実施形態４を、図１７を参照して説明する。なお、図１７において、図２に対応する部分は、図２に付した符号と同一の符号を付けて、その説明を省略する。
【００８１】
キャッチ装置７０は、樹脂成形品であり、引き戸１４の戸尻部Ａの内側面に取り付けられたホルダ７２と、基端７４Ａをホルダ７２にヒンジ接続された片持ちアーム７４と、弾性片７６とを一体に有する。引き戸１６の戸尻部Ａには樹脂成形品による被係合部材７８が取り付けられている。被係合部材７８は、引き戸１４の側に、傾斜面７８Ａ及び凹部７８Ｂを有する。
【００８２】
片持ちアーム７４は、遊端に引き戸１６の側に突出した爪形状部７４Ｂを含み、キャッチ部材をなす。爪形状部７４Ｂは、引き戸１４及び１６の双方が閉戸位置にあるときに、凹部７８Ｂに係脱可能に係合する。弾性片７６は、ホルダ７２に当接する遊端７６Ａを含み、自身の弾性力によって爪形状部７４Ｂが凹部７８Ｂに係合する方向に片持ちアーム７４を付勢している。
【００８３】
爪形状部７４Ｂは閉戸方向の操作力によって引き戸１４が引き戸１６に対して左側に移動する時に傾斜面７８Ａに沿って摺動し、爪形状部７４Ｂが凹部７８Ｂに係合することにより、引き戸１４及び１６の双方が閉戸位置に保持される。
【００８４】
これにより、引き戸１４、１６の枚数分のキャッチ構造を必要とすることなく、簡単な構成の一つのキャッチ装置７０によって、引き戸１４及び１６の双方が閉戸位置に保持され、引き戸１４及び１６の双方の跳ね返りが防止される。これにより、部品点数の削減と共に低コスト化が図られる。
【００８５】
引き戸１４或いは１６に所定値以上の開戸方向の操作力が作用すると、爪形状部７４Ｂが凹部７８Ｂから抜け出し、キャッチ装置７０による引き戸１４及び１６の保持が解除され、引き戸１４及び１６は自由に開閉移動できるようになる。
【００８６】
つぎに、キャッチ装置８０の実施形態５を、図１８を参照して説明する。なお、図１８において、図２に対応する部分は、図２に付した符号と同一の符号を付けて、その説明を省略する。
【００８７】
キャッチ装置８０は、引き戸１４の戸尻部Ａの内側面に取り付けられたホルダ８２と、基端８４Ａを枢軸８６によってホルダ８２に回動可能に取り付けられた片持ちアーム８４と、捩りコイルばね８８とを有する。引き戸１６の戸尻部Ａが引き戸１４と対向する部分には係止用開口９０が形成されている。シール部材３４が係止用開口９０に対応する部分には開口３４Ｃが形成されている。
【００８８】
片持ちアーム８４は、遊端に引き戸１６の側に突出した爪形状部８４Ｂを含み、キャッチ部材をなす。爪形状部８４Ｂは、図１８（Ｂ）に示されているように、引き戸１４及び１６の双方が閉戸位置にある時に開口３４Ｃを通過して係止用開口９０に係脱可能に係合する。捩りコイルばね８８は、爪形状部８４Ｂが係止用開口９０に係合する方向に片持ちアーム８４を付勢している。
【００８９】
図１８（Ａ）に示されている状態から閉戸方向の操作力によって引き戸１４が引き戸１６に対して右側に移動すると、爪形状部８４Ｂがシール部材３４を介して肩面部３２Ｂに当接することにより、片持ちアーム８４が時計廻り方向に回動し、図１８（Ｂ）に示されているように、爪形状部８４Ｂが係止用開口９０に係合する。この係合によって爪形状部８４Ｂが係止用開口９０の端壁９２に当接することにより、引き戸１４及び１６の双方が閉戸位置に保持される。
【００９０】
これにより、引き戸１４、１６の枚数分のキャッチ構造を必要とすることなく、一つのキャッチ装置８０によって、引き戸１４及び１６の双方が閉戸位置に保持され、引き戸１４及び１６の双方の跳ね返りが防止される。これにより、部品点数の削減と共に低コスト化が図られる。
【００９１】
引き戸１４或いは１６に所定値以上の開戸方向の操作力が作用すると、爪形状部８４Ｂが係止用開口９０から抜け出し、キャッチ装置８０による引き戸１４及び１６の保持が解除され、引き戸１４及び１６は自由に開閉移動できるようになる。
【００９２】
以上、本発明を、その好適な実施形態について説明したが、当業者であれば容易に理解できるように、本発明はこのような実施形態により限定されるものではなく、本発明の趣旨を逸脱しない範囲で適宜変更可能である。また、上記実施形態に示した構成要素は必ずしも全てが必須なものではなく、本発明の趣旨を逸脱しない限りにおいて適宜取捨選択することが可能である。
【符号の説明】
【００９３】
１０    ：前面開口
１２    ：本体
１４    ：引き戸
１６    ：引き戸
１８    ：開閉戸
２０    ：下部レール
２２    ：下部レール
２４    ：縦枠
２６    ：走行輪
３０    ：突出部
３２    ：突出部
３２Ａ  ：端面部
３２Ｂ  ：肩面部
３４    ：シール部材
３４Ａ  ：シール作用部
３４Ｂ  ：シール作用部
３４Ｃ  ：開口
４０    ：キャッチ装置
４２    ：ホルダ
４２Ａ  ：取付面部
４２Ｂ  ：主面部
４２Ｃ  ：軸部
４２Ｄ  ：稜線部
４２Ｅ  ：ディテント作用部
４２Ｆ  ：ストッパ部
４６    ：揺動アーム（キャッチ部材）
４６Ａ  ：主部
４６Ｂ  ：爪形状部（当接部）
４６Ｃ  ：爪形状部（係合部）
４６Ｄ  ：突部
４６Ｅ  ：丸孔
５０    ：キャッチ装置
５２    ：ホルダ
５２Ａ  ：取付面部
５２Ｂ  ：側壁
５２Ｃ  ：軸受孔
５２Ｄ  ：ラッチ用開口
５２Ｅ  ：ばね受け片部
５３Ａ  ：延在部
５３Ｂ  ：左右延在部
５４    ：スライダ
５４Ａ  ：基部
５４Ｂ  ：脚状片部
５４Ｃ  ：ばね受け片部
５４Ｄ  ：軸受開口
５６    ：揺動アーム（キャッチ部材）
５６Ａ  ：主部
５６Ｂ  ：爪形状部（当接部）
５６Ｃ  ：爪形状部（係合部）
５６Ｄ  ：軸部
５６Ｅ  ：ラッチピン部
５８    ：圧縮コイルばね
６０    ：キャッチ装置
６２    ：ダンパ
７０    ：キャッチ装置
７２    ：ホルダ
７４    ：片持ちアーム（キャッチ部材）
７４Ａ  ：基端
７４Ｂ  ：爪形状部
７６    ：弾性片
７６Ａ  ：遊端
７８    ：被係合部材
７８Ａ  ：傾斜面
７８Ｂ  ：凹部
８０    ：キャッチ装置
８２    ：ホルダ
８４    ：片持ちアーム（キャッチ部材）
８４Ａ  ：基端
８４Ｂ  ：爪形状部
８６    ：枢軸
８８    ：コイルばね
９０    ：係止用開口
９２    ：端壁
Ａ      ：戸尻部
Ｂ      ：戸先部
【図１】
2018100486.tif 000003
【図２】
2018100486.tif 000004
【図３】
2018100486.tif 000005
【図４】
2018100486.tif 000006
【図５】
2018100486.tif 000007
【図６】
2018100486.tif 000008
【図７】
2018100486.tif 000009
【図８】
2018100486.tif 000010
【図９】
2018100486.tif 000011
【図１０】
2018100486.tif 000012
【図１１】
2018100486.tif 000013
【図１２】
2018100486.tif 000014
【図１３】
2018100486.tif 000015
【図１４】
2018100486.tif 000016
【図１５】
2018100486.tif 000017
【図１６】
2018100486.tif 000018
【図１７】
2018100486.tif 000019
【図１８】
2018100486.tif 000020